(57)【要約】      （修正有）【課題】快適性、軽量性及び経済性をよりよく両立させた低反発ジェル枕を提供する。【解決手段】低反発ジェル枕は、支持部１１と、それを覆うクッション部１２とを含む枕本体１を含み、支持部１１には、上下貫通する複数の第１貫通孔１１１が設けられ、複数の第１貫通孔１１１はハニカム構造を構成し、支持部１１には、上下貫通する複数の第２貫通孔１２１が設けられ、複数の第２貫通孔１２１はハニカム構造を構成し、第１貫通孔１１１の孔径は第２貫通孔１２１の孔径より大きい。２つのタイプの孔径の貫通孔を設置し、組み合わせて使用することにより、枕本体の快適性、軽量性及び経済性をよりよく両立させ、枕本体に良好な性能を与えた。本枕は、頭部、首部、及び肩部の負担を減らし、頸椎の圧力を分散することができ、通気性の機能も有し、睡眠時の体の快適感を向上させ、睡眠を促進することができ、体の健康にも有利である。【選択図】図１
0003232041.tif 000002
【実用新案登録請求の範囲】
【請求項１】
支持部（１１）と、それを覆うクッション部（１２）とを含む枕本体（１）を含み、
前記支持部（１１）には、上下貫通する複数の第１貫通孔（１１１）が設けられ、複数の前記第１貫通孔（１１１）はハニカム構造を構成し、前記クッション部（１２）には、上下貫通する複数の第２貫通孔（１２１）が設けられ、複数の前記第２貫通孔（１２１）はハニカム構造を構成し、
前記第１貫通孔（１１１）の孔径は第２貫通孔（１２１）の孔径より大きい、
ことを特徴とする低反発ジェル枕。
【請求項２】
前記クッション部（１２）は、鞍状構造を呈し、その下面は、支持部（１１）の上面に密着する、ことを特徴とする請求項１に記載の低反発ジェル枕。
【請求項３】
前記第１貫通孔（１１１）の、支持部（１１）の上面に位置する開口部には、補強リブ（１１２）が接続されている、ことを特徴とする請求項１に記載の低反発ジェル枕。
【請求項４】
前記補強リブ（１１２）は、第１貫通孔（１１１）の開口部に米字状に交差するように設置される、ことを特徴とする請求項２に記載の低反発ジェル枕。
【請求項５】
前記第１貫通孔（１１１）内に補強桟（１１３）が接続されている、ことを特徴とする請求項３に記載の低反発ジェル枕。
【請求項６】
前記第１貫通孔（１１１）及び第２貫通孔（１２１）は、両方とも正多角形の貫通孔である、ことを特徴とする請求項１に記載の低反発ジェル枕。
【請求項７】
前記第１貫通孔（１１１）及び第２貫通孔（１２１）は、両方とも正六角形の貫通孔である、ことを特徴とする請求項６に記載の低反発ジェル枕。
【請求項８】
各前記第１貫通孔（１１１）は、それぞれ１つの前記第２貫通孔（１２１）と同軸に設置される、ことを特徴とする請求項７に記載の低反発ジェル枕。
【請求項９】
クッション部（１２）の上面を覆うカバ（２）をさらに含む、ことを特徴とする請求項１〜請求項８のいずれか１項に記載の低反発ジェル枕。
【考案の詳細な説明】
【技術分野】
【０００１】
本願は、枕の分野に関し、特に低反発ジェル枕に関する。
【背景技術】
【０００２】
ＴＰＥジェル枕は、ＴＰＥジェルを材質として製造される枕である。ＴＰＥ、即ち熱可塑性エラストマーは、人工ゴムまたは合成ゴムとも呼ばれ、ゴムと樹脂の間にある新しいタイプのポリマー材料です。当該材料は、従来の架橋加硫ゴムの高い弾性、耐老化性、耐油性を備えているだけでなく、一般のプラスチックの加工が便利で、加工方法が広いという特徴も備えている。ＴＰＥジェルは、熱可塑性エラストマー原料を高温で溶融し、冷却成形して得られるものである。ＴＰＥジェルを材質として製造された枕は、柔らかい特性を有し、使用者に良好な快適感を与えることができる。
【０００３】
現在、関連技術において、ＴＰＥジェル枕には、その本体を上から下に貫通する多数の貫貫通孔が設けられている。これらの貫通孔は、通常、孔断面が円形又は三角形の円柱状の貫通孔であり、かつ、孔径は同じである。複数の貫通孔は枕に均一に分布され、通気機能を果たすことができるだけでなく、枕全体の重量を減らすこともでき、枕の材料使用とコストを低減する。
【０００４】
しかしながら、上記の関連技術において、貫通孔の直径が単一の枕は、快適性、軽量性及び経済性をよりよく両立させることが難しい。したがって、当分野では、依然として快適性、軽量性及び経済性をよりよく両立させるジェル枕を必要とする。
【考案の概要】
【考案が解決しようとする課題】
【０００５】
本願は、枕の快適性、軽量性及び経済性をよりよく両立させるために、低反発ジェル枕を提供する。
【課題を解決するための手段】
【０００６】
本願は、以下のような技術的解決手段を採用した低反発ジェル枕を提供する。
【０００７】
低反発ジェル枕は、支持部と、それを覆うクッション部とを含む枕本体を含み、
前記支持部には、上下貫通する複数の第１貫通孔が設けられ、複数の前記第１貫通孔はハニカム構造を構成し、前記支持部には、上下貫通する複数の第２貫通孔が設けられ、複数の前記第２貫通孔はハニカム構造を構成し、
前記第１貫通孔の孔径は第２貫通孔の孔径より大きい。
【０００８】
上記技術的解決手段を採用することにより、大径の第１貫通孔で、支持部の重量を効果的に低減し、その材料の使用も低減し、それにより本枕に軽量の特性を付与して枕のコストを低減する。小径の第２貫通孔で、クッション部をより良く体に密着させることができ、孔径が大きすぎて、使用者がかなりの凹み感を感じる問題を少なくし、体の快適感を向上させた。本枕は、２つのタイプの孔径の貫通孔を組み合わせて使用することにより、快適性、軽量性及び経済性をよりよく両立させ、それにより本枕により良い性能を付与した。
【０００９】
選択可能に、前記クッション部は鞍状構造を呈し、その下面は、支持部の上面に密着する。
【００１０】
上記技術的解決手段を採用することにより、クッション部を鞍状に設置することは人間工学に合致し、体の頭部と首部をクッション部に一層密着させ、体の快適感を向上させた。また、枕本体が体の頭部と首部をより効果的に支持することができる。
【００１１】
選択可能に、前記第１貫通孔の、支持部の上面に位置する開口部には補強リブが接続されている。
【００１２】
上記技術的解決手段を採用することにより、支持部の支持力が向上できるとともに、クッション部と支持部との接続に、より多くの接続点を提供する。
【００１３】
選択可能に、前記補強リブは、第１貫通孔の開口部に米字状に交差するように設置される。
【００１４】
上記技術的解決手段を採用することにより、支持部を強化することができ、それにより枕本体全体の支持性を高める。
【００１５】
選択可能に、前記第１貫通孔内には補強桟が接続されている。
【００１６】
上記技術的解決手段を採用することにより、支持部の構造の安定性を向上させるのに有利であり、枕本体の支持性を高める。
【００１７】
選択可能に、前記第１貫通孔及び第２貫通孔は、両方とも正多角形の貫通孔であり、好ましくは、正六角形の貫通孔である。
【００１８】
上記技術的解決手段を採用することにより、正多角形構造の貫通孔をハニカム構造に排列することにより、支持部及びクッション部がよい構造安定性を有することができ、それにより、よい支持性を提供する。ここで、正六角形の貫通孔の構造が最も安定的であり、それにより、支持部及びクッション部の構造がより安定的になり、よりよい支持性を提供できる。それにより、枕本体は、体に十分な支持を提供することができ、頭部、肩部、首部の負担、及び頸椎の圧力を減らす。睡眠時の体の快適感を向上させるだけでなく、睡眠の品質も向上させ、体の健康にも有利である。
【００１９】
選択可能に、各第１貫通孔は、それぞれ１つの第２貫通孔と同軸に設置される。
【００２０】
上記技術的解決手段を採用することにより、枕本体内の気流の流れがより円滑になるのに有利であり、枕本体の通気性を向上させた。
【００２１】
選択可能に、クッション部の上面を覆うカバをさらに含む。
【００２２】
上記技術的解決手段を採用することにより、第２の貫通孔の開口が体に与える不快感を低減することができ、体の快適感をさらに向上させるのに有利である。
【考案の効果】
【００２３】
要約すると、本願は、以下の有益技術的効果のうちの少なくとも１つを含む。
【００２４】
１．本願では、２つのタイプの孔径の貫通孔の設置により、支持部の重量及び材料の使用を効果的に低減し、それにより枕に軽量の特性（本枕の重量は５４０〜５８０ｇ／個である）を付与して、枕のコストを低減しただけでなく、開口部が大きすぎて、使用者がかなりの凹み感を感じる問題を少なくして、体の快適感を向上させた。それにより、２つのタイプの孔径の貫通孔を組み合わせて使用することにより、枕本体の快適性、軽量性及び経済性をよりよく両立させ、枕により良い性能を付与した。
【００２５】
２．本願では、クッション部を鞍状が設置され、体の頭部と首部をクッション部に一層密着させ、体頭部と首部に対する枕本体の支持を高めて、体の快適感を向上させた。
【００２６】
３．本願の第１貫通孔及び第２貫通孔は、両方とも正六角形の貫通孔に設置され、かつ、ハニカム構造に排列され、構造が安定的であり、支持部及びクッション部の支持力を向上させるのに有利であり、体に十分な支持を提供することがで、頭部、肩部、首部の負担と圧力を減らす。
【００２７】
４．本願では、第１貫通孔の開口部に補強リブが設置され、支持部の支持力をさらに向上させるのに有利である。
【００２８】
５．本願では、補強桟の設置により、支持部の構造の安定性をさらに向上させることができる。
【００２９】
６．本願では、各第１貫通孔は、それぞれ１つの第２貫通孔と同軸に設置され、それにより、枕本体内の気流の流れがより円滑にすることができ、枕本体の通気性を向上させた。
【００３０】
７．本願では、枕本体は、ＴＰＥジェルを材質として選択しており、枕にソフトで快適感を付与した。また、本枕は、クッション部の鞍状に合わせた設置、及び第１貫通孔、第２貫通孔の構造及び排列設置により、良好な快適感を有するだけでなく、十分な支持力も有する。使用者が本枕を使用する際に枕本体の通気性により良好な快適感を感じ、睡眠が促進される。また、本枕を使用すると、頭部、肩部、首部の負担を減らし、頸椎の圧力を分散することができ、体の快適感を向上させるだけでなく、睡眠も促進され、体の健康にも有利である。
【図面の簡単な説明】
【００３１】
【図１】本願の実施例の低反発ジェル枕の分解概略図である。
【図２】本願の実施例の枕本体の概略斜視図である。
【図３】本願の実施例の枕本体の別の角度からの概略斜視図（底面視）である。
【考案を実施するための形態】
【００３２】
以下、図１〜３を参照しながら、本願についてさらに詳細に説明する。
【００３３】
本願の実施例は、低反発ジェル枕を開示した。図１を参照すると、低反発ジェル枕は、枕本体１及びカバ２を含む。ここで、枕本体１は、ＴＰＥジェルで製造され、当該材料は、良好な柔軟性と弾力性を有する。そのため、当該材料で製造した枕本体１は、柔軟な特性を有し、人が枕を使用する際に、体に良好な快適感を与える。
【００３４】
図１及び図２を参照すると、枕本体１は、支持部１１及びクッション部１２から構成される。ここで、支持部１１は、枕本体１の基部である。支持部１１は、径方向断面が弓状（劣弧状）である円柱状構造を呈する。支持部１１は、円弧状の支持面と平坦な底面とを含む。クッション部１２は、人が横になるか、もたれるか、座るために用いられる。クッション部１２は、鞍状構造を呈し、その上面は、両辺が高く、中間が凹んだ鞍状面であり、下面は支持部１１の上面にマッチングする円弧面である。クッション部１２を鞍状構造に設置することにより、体の頭部と首部にクッション部１２をより密着させ、より快適な感覚及びより有効な支持を使用者に提供できる。
【００３５】
図１を参照すると、支持部１１には、垂直方向に沿って上下貫通する複数の第１貫通孔１１１が設けられている。第１貫通孔１１１は、径方向断面が正多角形の円柱状の貫通孔であり、複数の第１貫通孔１１１は、ハニカム構造に排列される。第１貫通孔１１１を設けることにより、通気とともに支持部１１の重量を減らし、枕本体１のコスト低減に寄与する。一部の好ましい実施手段において、第１貫通孔１１１は、正六角形である。正六角形は、力学の角度から見て最も安定的であり、ハニカム状に排列することで空間を効果的に使用でき、２つの第１貫通孔１１１の間に隙間がないようにする。したがって、第１貫通孔１１１に正六角形の貫通孔を採用してハニカム状に排列することにより、支持部１１は、貫通孔が設けられた後でも構造が依然として安定的であり、円形又は三角形の貫通孔を採用する設計と比べて、よりよい支持力及び低反発性を有する。
【００３６】
図２を参照すると、クッション部１２は、支持部１１を覆い、クッション部１２の下面は支持部１１の上面に密着し、熱溶着の方式により一体に接続され、それにより、クッション部１２及び支持部１１は接続されて１つの全体になる。
【００３７】
図１及び図２を参照すると、クッション部１２にも、垂直方向に沿って上下貫通する複数の第２貫通孔１２１が設けられている。第２貫通孔１２１は、同様に、径方向断面が正六角形の円柱状の貫通孔であり、複数の第２貫通孔１２１はハニカム構造に排列される。第１貫通孔１１１と同様に、第２貫通孔１２１の設置は、通気とともに重量を減らし、コストを低減するのに役立つだけでなく、クッション部１２が良好な構造安定性及び支持性を有することも保証できる。
【００３８】
図３を参照すると、一部の実施手段において、各第１貫通孔１１１は、それぞれ１つの第２貫通孔１２１と同軸に設置され、それにより枕本体１内の気流の流れがより円滑になり、枕本体１の通気性を向上させた。
【００３９】
図１及び図３を参照すると、第１貫通孔１１１の孔径は第２貫通孔１２１の孔径より大きい。一部の実施手段において、第１貫通孔１１１の孔断面の面積は第２貫通孔１２１の孔断面の面積の４倍である。２つの異なるサイズの貫通孔を以下のように設置する。クッション部１２の第２貫通孔１２１がより小さいため、クッション部１２が体によりよく密着し、開口部が大きすぎて、体が密着する際に明らかに凹み感を感じる問題を少なくし、体の快適感を向上させた。支持部１１の第１貫通孔１１１はより大きく、支持性を保証できる状況で、支持部１１の重量を効果的に減らし、材料の使用を少なくすることにより、枕のコストを低減する。貫通孔の孔径が大きすぎて、使用者が枕に密着する際に明らかな凹み感を感じて、体の快適感を低下させるか、又は貫通孔の孔径が小さすぎて、重量低減及びコスト低減に効果的に寄与できない関連技術の貫通孔の単一タイプの設計と比べて、本枕は、２つのタイプの貫通孔を組み合わせて使用することにより、快適性、軽量性及び経済性を両立させ、それにより本枕によりよい性能を与えた。
【００４０】
図１及び図３を参照すると、枕本体１の支持力を向上させるとともに、より多くの接続点をクッション部１２及び支持部１１に提供するため、支持部１１の中間部（クッション部１２の凹み部分に対応する位置）に位置する第１貫通孔１１１の、支持部１１の上面に位置する開口部には補強リブ１１２が接続されている。一部の実施手段において、補強リブ１１２の材質もＴＰＥジェルであり、かつ、熱溶着の方式で接続される。一部の実施手段において、補強リブ１１２は、第１貫通孔１１１の開口部に米字状に交差するように設置され、それにより、支持部１１を一層強化することができ、さらに、枕本体１の支持力を向上させる。
【００４１】
図１及び図３を参照すると、支持部１１の縁部に位置している第１貫通孔１１１内には補強桟１１３が接続されている。第１貫通孔１１１内には補強桟１１３が接続されている。補強桟１１３は第１貫通孔１１１に径方向の支持力を与えるために用いられる。一部の実施手段において、補強桟１１３は、長尺状の構造で、かつ、第１貫通孔１１１に垂直に設置される。一部の実施手段において、複数の長尺状の補強桟１１３は、支持部１１の長い縁部に略平行する方向に沿って延伸し、補強桟１１３の側縁は第１貫通孔１１１に内接する。好ましくは、補強桟１１３は支持部１１の縁部の第１貫通孔に位置し、その一側の側縁は第１貫通孔１１１の一頂点に接続し、他側の側縁は第１貫通孔１１１と対向する他の頂点又は支持部１１の端面の内面に接続される。別の実施手段において、補強桟１１３は、細長い構造であり、第１貫通孔１１１に水平に設置され、その両端はそれぞれ第１貫通孔１１１の２つの対向する頂点に内接する。補強桟１１３は、支持部１１の端面と略水平な方向に沿って延伸し、好ましくは、補強桟１１３は、支持部１１の中間部の第１貫通孔１１１に位置している。別の一部の実施手段において、補強桟１１３も細長い構造であり、かつ、第１貫通孔１１１に水平に接続され、第１貫通孔１１１の中心を通過し、かつ、その両端はそれぞれ第１貫通孔１１１の２つの対向する頂点に内接する。一部の実施手段において、複数本の補強桟１１３は、より大きい径方向支持を提供するように正方形、長方形又は多角形を構成するように排列される。補強リブ１１２と同様に、補強桟１１３の材質はＴＰＥジェルであり、かつ、熱溶着の方式により接続される。補強桟１１３の設置により、支持部１１の構造の安定性をさらに向上させることができる。
【００４２】
図２を参照すると、支持部１１の両端の端面は平面であり、クッション部１２の両端の端面は、ハニカム状に排列された第２貫通孔１２１に合わせた波形面であるため、枕本体１の外観がより美しい。
【００４３】
図１を参照すると、カバ２は、クッション部１２の上面を覆う綿布カバであり、第２貫通孔１２１の開口部体に与える不快感を低減し、体の快適感を向上させる。
【００４４】
本願の実施例の低反発ジェル枕の実施原理は以下のとおりである。カバ２が枕本体１に覆われ、使用者は頭部或いは首部をカバ２上に置く。クッション部１２の鞍状設計により、本枕と体との密着度を向上させ、さらに、使用者の快適さを向上させた。第１貫通孔１１１及び第２貫通孔１２１の設置により、良好な通気性を提供し、使用者の快適感を向上させ、睡眠に役立つ。また、第１貫通孔１１１及び第２貫通孔１２１がそれぞれ構成した六角形のハニカム状の構造、及び補強リブ１１２と補強桟１１３との接続により、枕本体１は、体に十分な支持を提供でき、頭部、首部、及び肩部の圧力負担を減らし、さらに、頸椎の圧力を減らした。体の快適感を向上させ、睡眠を促進しただけでなく、体の健康にも有利である。
【００４５】
以上は、いずれも本願の好ましい実施例にすぎず、本願の保護範囲を制限するものではなく、そのため、本願の構造、形状、原理にしたがって行った同価の変更は、いずれも本願の保護範囲内に含まれるべきである。
【符号の説明】
【００４６】
１...枕本体、１１...支持部、１１１...第１貫通孔、１１２...補強リブ、１１３...補強桟、１２...クッション部、１２１...第２貫通孔、２...カバ。
【図１】
0003232041.tif 000003
【図２】
0003232041.tif 000004
【図３】
0003232041.tif 000005
【手続補正書】
【提出日】令和3年3月10日(2021.3.10)
【手続補正１】
【補正対象書類名】実用新案登録請求の範囲
【補正対象項目名】全文
【補正方法】変更
【補正の内容】
【実用新案登録請求の範囲】
【請求項１】
支持部（１１）と、それを覆うクッション部（１２）とを含む枕本体（１）を含み、
前記支持部（１１）には、上下貫通する複数の第１貫通孔（１１１）が設けられ、複数の前記第１貫通孔（１１１）はハニカム構造を構成し、前記クッション部（１２）には、上下貫通する複数の第２貫通孔（１２１）が設けられ、複数の前記第２貫通孔（１２１）はハニカム構造を構成し、
前記第１貫通孔（１１１）の孔径は第２貫通孔（１２１）の孔径より大きい、
ことを特徴とする低反発ジェル枕。
【請求項２】
前記クッション部（１２）は、鞍状構造を呈し、その下面は、支持部（１１）の上面に密着する、ことを特徴とする請求項１に記載の低反発ジェル枕。
【請求項３】
前記第１貫通孔（１１１）の、支持部（１１）の上面に位置する開口部には、補強リブ（１１２）が接続されている、ことを特徴とする請求項１に記載の低反発ジェル枕。
【請求項４】
前記補強リブ（１１２）は、第１貫通孔（１１１）の開口部に米字状に交差するように設置される、ことを特徴とする請求項３に記載の低反発ジェル枕。
【請求項５】
前記第１貫通孔（１１１）内に補強桟（１１３）が接続されている、ことを特徴とする請求項３に記載の低反発ジェル枕。
【請求項６】
前記第１貫通孔（１１１）及び第２貫通孔（１２１）は、両方とも正多角形の貫通孔である、ことを特徴とする請求項１に記載の低反発ジェル枕。
【請求項７】
前記第１貫通孔（１１１）及び第２貫通孔（１２１）は、両方とも正六角形の貫通孔である、ことを特徴とする請求項６に記載の低反発ジェル枕。
【請求項８】
各前記第１貫通孔（１１１）は、それぞれ１つの前記第２貫通孔（１２１）と同軸に設置される、ことを特徴とする請求項７に記載の低反発ジェル枕。
【請求項９】
クッション部（１２）の上面を覆うカバ（２）をさらに含む、ことを特徴とする請求項１〜請求項８のいずれか１項に記載の低反発ジェル枕。